【手続補正書】
【提出日】平成16年5月18日(2004.5.18)
【手続補正１】
【補正対象書類名】明細書
【補正対象項目名】全文
【補正方法】変更
【補正の内容】
【書類名】明細書【発明の名称】木造建築物の土台揚げ曳舞い工事におけるＨ型綱鉄骨架台工法【特許請求の範囲】【請求項１】基礎の必要箇所を解体し、土台下にジャッキをセットし土台揚げしたりＨ型綱或いはレールを設置して曳家工事が行われる木造建築物の土台揚げ曳舞い工事の工法において、（イ）軸組全ての土台下にＨ型綱を設置し、このＨ型綱の交差部及び継手を溶接し、次に、略コの字状の鋼製部材二枚間下部にナットを溶着しボルトを取付けると共にこの鋼製部材間上部内側にボッチを複数設けた平板を溶着して成るアンカー金具で、土台とＨ型綱に取付けてボルト締めし、このアンカー金具を溶接する。（ロ）このＨ型綱をジャッキアップし、支柱上部にスリーブを溶着しこのスリーブに微調整ナット付ボルトをスリーブに挿入自在に具備して成る微調整金具を、Ｈ型綱下に適宜複数箇所に配置すると共にこのボルトをＨ型綱下面に溶着し、この微調整ナットで微調整を行い建物全体の水平状態を確認後この微調整金具と基礎鉄筋とを溶着する。（ハ）そして、このＨ型綱鉄骨架台を撤去せずそのまま防錆処理を行い、基礎鉄筋と溶着固定後、基礎コンクリートを打設し基礎と一体のものとする。以上のような工程を含むことを特徴とする木造建築物の土台揚げ曳舞い工事におけるＨ型鋼鉄骨架台工法。【発明の詳細な説明】【０００１】【発明の属する技術分野】  本発明は、木造建築物の土台揚げ曳舞い工事に係るＨ型綱鉄骨架台工法に関するものであり、より詳しくは、Ｈ型綱を架台としてアンカー金具と微調整金具を用い、防錆処理を行い、そのまま基礎鉄筋と共にコンクリートを打設するＨ型綱鉄骨架台工法に関するものである。【０００２】【従来の技術】  従来より、木浩建築物の土台揚げ工事の工法は、一部基礎を解体し、土台下に直接ジャッキ等をセットして土台揚げを施行するか、又は、Ｈ型鋼あるいはレールを土台下に建物を横断する形で何箇所か設置し、両端をボルト締めした上で建物の外回りにジャッキをセットし土台揚げの施行が行われていた。【０００３】  また、曳家の従来工法の場合、一部基礎を解体し、Ｈ型綱あるいはレールを土台下に建物を横断する形で何箇所か設置し、その下にコロ等をセットして施工が行われていた。【０００４】  このため、土台揚げの場合は、建物の重量がジャッキのセットされている箇所に集中的にかかり、垂直方向および水平方向への荷重が均一にゆかなくなり、土台ばかりでなく建物全体にゆがみが生じ、その結果工事の最終過程でさまざまな補修をしなければ再利用できなかった。  曳家の場合は、建物の荷重を柱下で受けることを基本としていないため、バランスのよい施工とならない結果となっていた。又、建物の重量が受け部分に集中するなど、建物の軸組に大きな影響を与え、土台ばかりでなく建物全体にゆがみを生じ、修正補修の費用が多大に要した。  更に、いずれの従来の施工法は、使用したレール又はＨ型綱を工事完了時に取り外す、又は工事工程で建物の安定に努力したものを無に帰すこと等、合理性に欠けていたのが問題であった。【０００５】【発明が解決しようとする課題】  本発明は上記従来の土台揚げおよび曳き舞いの工事の施工法により、木造建築物の構造にゆがみや損傷が発生し、多大な補修費用と引越���費用が必要とされていたことに着目してなされたものであり、第１の目的は、住民が住んだまま工事を施工し、その後の補修費用を最小限または無くすることを課題とする。第２の目的は、建物にゆがみや損傷を与えず、なおかつ安全性の高い工事の施工法を提供することを課題とする。【０００６】【課題を解決するための手段】  本発明は上記課題を解決するために、基礎の必要箇所を解体し、土台にジャッキをセットし土台揚げしたり、Ｈ型綱或いはレールを設置して曳家工事が行われる木造建築物の土台揚げ曳舞い工事の工法において、（イ）軸組すべての土台下にＨ型綱を設置し、このＨ型綱の交差部及び継手を溶接し、次に、略コの字状の鋼製部材二枚間下部にナットを溶着しボルトを取付けると共にこの鋼製部材間上部内側に擦れ防止のボッチを複数設けた平板を溶着して成るアンカー金具を、土台とＨ型綱に取付けてボルト締め後に、このアンカー金具を溶接する。（ロ）このＨ型綱をジャッキアップし、支柱上部にスリーブを溶着しこのスリーブに微調整ナット付ボルトをスリーブに挿入自在に具備して成る微調整金具を、Ｈ型綱下の適宜複数箇所に配置すると共にこのボルトをＨ型綱下面に溶着し、この微調整ナットで微調整を行い建物全体の水平状態を確認後この微調整金具を溶接する。（ハ）そして、このＨ型綱鉄骨架台を撤去せずそのまま防錆処理を行い、基礎鉄筋と溶着固定する。  以上のような工程を含む木造建築物の土台揚げ、曳舞い工事のＨ型鋼鉄骨架台工法であることを特徴とする。【０００７】【発明の実施の形態】  以下、本発明の好適な実施の形態を、まず図１により、土台とＨ型鋼鉄骨架台に取付ける本アンカー金具から説明する。  略コの字に形成した鋼製部材二枚１Ａ，１Ｂ間の下部にナット２を溶着しボルト３を取付けると共に、この鋼製部材間１Ａ，１Ｂ上部内側には土台の擦れ防止用ボッチ４（図示せず）を複数設けた平板５を溶着した本アンカー金具Ｋを構成する。【０００８】  そうすれば、土台とＨ型綱に横から取付けボルトで締結すれば、ボッチが土台に食い込むような状態となり、図２のように、土台とＨ型鋼鉄骨架台をおよそコの字に挟持する構成としたものである。  尚、このアンカー金具は適宜複数適所に取付けられる。【０００９】  又、本微調整金具を説明する。  図３のように、支柱６の上部にスリーブ７を溶着する。このスリーブ７には、Ｈ型綱下面に溶着されるボルト８・微調整ナット９を具備して本微調整金具Ｔを構成する。  この場合、微調整ナットはスリーブの上に載せている程度のものとする。そうすれば、図３で示すように、スリーブ上端で微調整ナットを正回転又は逆回転させると、ボルト及びＨ型綱が上がり又は下がるで微調整を行うことができるように構成したものである。【００１０】  次に、Ｈ型綱を架台とした本Ｈ型鋼鉄骨架台工法について説明する。▲１▼基礎の一部を欠き取り、土台にジャッキをセットする（図４，図５参照）。▲２▼Ｈ型鋼を設置する空間を確保する（図６，図７参照）。▲３▼土台下にＨ型鋼１０をセットする（図８，図９参照）。  この場合、例えば図１６に示す床とした場合は図１７に示すように、その土台の全てにＨ型鋼１０を設置する。  そして、このＨ型鋼１０の交差部及び継手を溶接し、���述のアンカー金具Ｋで土台とＨ型鋼１０の一部を締結後、ボルト３を溶着固定する。  尚、アンカー金具Ｋの取付け間隔は、本一実施例として９０ｃｍ間隔としているが、適宜間隔でよい。▲４▼木造建物全体が載置されているこのＨ型鋼鉄骨架台を、ジャッキアップする（図１０，図１１参照）。▲５▼Ｈ型鋼鉄骨架台の下に上述の微調整金具Ｔを設置し、Ｈ型綱１０下面にボルト８を溶接すると共に微調整ナット９で微調整を行い、建物全体の水平を確認後、この微調整金具Ｔを溶着固定すると共に、支柱６を基礎鉄筋と溶着する（図１２，図１３参照）。▲６▼このＨ型鋼鉄骨架台、アンカー金具、不陸微調整金具及び、ボルトナット、交差部、継手等を含めて防錆処理を行う。▲７▼そのままの状態で、型枠が設置され、コンクリートが打設され、この基礎の中に完全に一体となるものである。（図１４，図１５参照）  尚、この図は、Ｈ型鋼、本アンカー、本不陸微調整金具、及び鉄筋の状況はコンクリートを透過したと仮定したものである。【００１１】  尚、図１６は、一木造建築物の土台の参考図である。  図１７は、Ｈ型鋼鉄骨架台を土台下に設置することを示す参考図である。  また、これらの図において、土台のない箇所にもＨ型鋼鉄骨架台が設置されているのは、建物構造上及び工事施工上の両面から検討して弱部と判断される部分へのＨ型鋼鉄骨架台の設置を意味し、このことを含めてＨ型鋼鉄骨架台と称するものである。【００１２】【発明の効果】  本発明のＨ型綱鉄骨架台工法では、本アンカー金具により土台とＨ型鋼鉄骨架台を略コの字状に挟持するように、且つ、ボッチが土台を的確に固定し、ボルトで固定する構成だから、施工中に建物と架台が離反または横ずれなどを防止し、Ｈ型綱鉄骨架台の上に建物を安定した状態にすることができる。【００１３】  また、本微調整金具では、わずかな微調整を行うことができる。【００１４】  また、Ｈ型綱を架台して、及びアンカー金具、微調整金具を用いた木造建築物の土台揚げ、曳舞い工事のＨ型鋼鉄骨架台工法により、土台下に沿って全ての土台にＨ型鋼鉄骨架台を設置することができるようになった。  しかも、本アンカー金具で土台を締結後に溶着固定し、その後、土台揚げおよび曳き舞いにより定位置に配置された建物を最終的に水平を確定する際に、微調整金具をＨ型綱鉄骨架台下にセットし、微調整ナットによりレベル出し、ボルトを溶接固定して微調整金具全体も基礎の鉄筋と溶接固定することにより基礎をより強固なものにする。  更に、Ｈ型鋼鉄骨架台をはずさないでそのまま防錆処理をして基礎と一体のものとしてコンクリートの中に埋め込み仕上げることとしたので、工事完了後は基礎と建物を緊結するアンカーの役割を果たす効果を奏する。【００１５】  この為、建物の安定状態を維持すると共に、この補修後の建物の補修費においては最小限に留めることが可能であり、費用の縮減を計るものである。  更に、既存の建物にゆがみや損傷を与えず、家の安定状態を保ちながら、建物の住民が住んだまま工事を進行完了することができる、という安全性の高い工事を施工することができる工法である。【図面の簡単な説明】【図１】本アンカー金具を示す説明図である。【図２】本アンカー金具の取付け状態を示す斜視���である。【図３】本微調整金具を示す斜視図である。【図４】基礎の必要箇所を欠き取り、土台にジャッキをセットした側面図である。【図５】図４の断面図である。【図６】基礎の一部を安全性を考慮した一定区間を欠き取りＨ型綱を設置する空間を確保した側面図である。【図７】図６の断面図である。【図８】土台下にＨ型綱をセットし、交差部および継ぎ手を溶接し、約９０ｃｍ間隔で本アンカー金具で土台とＨ型綱を締め付け溶接し固定した状態の側面図。【図９】図８の断面図である。【図１０】建物全体にＨ型綱を設置し、Ｈ型綱架台上に建物全体を載せ、建物全体をジャッキアップしている側面図である。【図１１】図１０の断面図である。【図１２】Ｈ型綱下に本微調整金具を溶接設置し、不陸の微調整を行い建物全体の水平を確認後にボルトを溶接固定、本微調整金具を基礎の鉄筋と溶接固定した側面図である。【図１３】図１２の断面図である。【図１４】図１２の状態で型枠を設置し、コンクリートを打設、硬化後型枠をはずした基礎の側面図である。（ただし、Ｈ型綱、本アンカー金具、本微調整金具、鉄筋の状況はコンクリートを透過したと仮定した図である。）【図１５】図１４の断面図である。【図１６】例示としての木造建築物の土台の参考図である。【図１７】図１６の土台下にＨ型綱鉄骨架台を設置した参考図である。（ただし、土台がない所にＨ型綱が設置されているのは、建物構造上と工事施工上の両面から検討した結果弱部と判断されるところへのＨ型綱の設置を意味し、これも含めてＨ型綱鉄骨架台と称するものである。）【符号の説明】  Ｋ・・・・・・・・・・アンカー金具  １Ａ，１Ｂ・・・・・・鋼製部材  ２・・・・・・・・・・ナット  ３・・・・・・・・・・ボルト  ４・・・・・・・・・・ボッチ  ５・・・・・・・・・・平板  Ｔ・・・・・・・・・・微調整金具  ６・・・・・・・・・・支柱  ７・・・・・・・・・・スリーブ  ８・・・・・・・・・・ボルト  ９・・・・・・・・・・微調整ナット１０・・・・・・・・・・Ｈ型鋼鉄骨架台
【手続補正２】
【補正対象書類名】図面
【補正対象項目名】全図
【補正方法】変更
【補正の内容】
【図１】
2003056186.tif 000001
【図２】
2003056186.tif 000002
【図３】
2003056186.tif 000003
【図４】
2003056186.tif 000004
【図５】
2003056186.tif 000005
【図６】
2003056186.tif 000006
【図７】
2003056186.tif 000007
【図８】
2003056186.tif 000008
【図９】
2003056186.tif 000009
【図１０】
2003056186.tif 000010
【図１１】
2003056186.tif 000011
【図１２】
2003056186.tif 000012
【図１３】
2003056186.tif 000013
【図１４】
2003056186.tif 000014
【図１５】
2003056186.tif 000015
【図１６】
2003056186.tif 000016
【図１７】
2003056186.tif 000017